(57)【特許請求の範囲】
【請求項１】
表面側から裏面側への通気性を有する基板上に、前記基板の通気部に連通するようにピンホールを形成した樹脂製化粧フィルムを前記基板の表面側に定着して成り、前記基板の表面側には前記ピンホールに連通する前記ピンホールに近い孔径の細径孔が穿設され、前記樹脂製化粧フィルムは、木目模様その他任意の模様や色柄等の印刷表現が可能であると共に、前記基板との組み合わせにおいて不燃性、準不燃性又は難燃性を具備することを特徴とする吸音パネル。
【請求項２】
前記ピンホールは孔径が１ｍｍ前後である、請求項１に記載の吸音パネル。
【請求項３】
前記基板には裏面側から、前記細径孔の１又は複数に連通する大径孔が穿設される、請求項１又は２に記載の吸音パネル。
【請求項４】
前記基板と前記樹脂製化粧フィルムとの間に介装される中間材を更に含み、前記中間材は介装時において前記細径孔及び前記樹脂製化粧フィルムのピンホールに連通する透孔を有する、請求項３に記載の吸音パネル。
【請求項５】
前記中間材は金属製薄板であり、前記金属製薄板の透孔は前記樹脂製化粧フィルムのピンホールと同径又はそれより大径のピンホールである、請求項４に記載の吸音パネル。
【請求項６】
表面側から裏面側への通気部を有する基板と、前記基板の表面側の通気部に連通するピンホールを有する金属製薄板と、前記金属製薄板の前記ピンホールに連通するピンホールを有する樹脂製化粧フィルムとをこの順に積層することより成る吸音パネルの製造方法であって、
前記樹脂製化粧フィルムは、木目模様その他任意の模様や色柄等の印刷表現が可能であると共に、前記基板及び前記金属製薄板との組み合わせにおいて不燃性、準不燃性又は難燃性を具備するものであり、前記金属製薄板のピンホールと前記樹脂製化粧フィルムのピンホールを、前記金属製薄板上に前記樹脂製化粧フィルムを張設した状態で同時に穿孔形成することを特徴とする吸音パネルの製造方法。
【請求項７】
前記金属製薄板のピンホールと前記樹脂製化粧フィルムのピンホールの孔径は１ｍｍ前後とする、請求項６に記載の吸音パネルの製造方法。
【請求項８】
前記基板に前記通気部として多数の大径孔を、表面側の前記ピンホールに連通する側の開口が裏面側の開口よりも狭くなるように形成する、請求項６又は７に記載の吸音パネルの製造方法。
【請求項９】
前記基板の大径孔の全部又は一部に吸音材を充填する、請求項８に記載の吸音パネルの製造方法。
【請求項１０】
前記吸音材として、１枚のシート上に前記大径孔の間隔に対応する間隔置きに立設されているものを用いる、請求項９に記載の吸音パネルの製造方法。
【請求項１１】
前記基板の前記大径孔の裏面側開口面に、不織布、紗布その他の不燃性又は難燃性の通気性シートを張設する、請求項８乃至１０のいずれかに記載の吸音パネルの製造方法。
【請求項１２】
前記基板として、消臭機能、調湿機能、ホルムアルデヒド吸収機能、マイナスイオン発生機能のうちの１又は複数の機能を具有するものを用いる、請求項６乃至１１のいずれかに記載の吸音パネルの製造方法。
【請求項１３】
前記樹脂製化粧フィルムとして、吸臭、ＣＯ２  吸着、抗菌、防汚その他の機能を有する機能性シートを用いる、請求項６乃至１２のいずれかに記載の吸音パネルの製造方法。
【請求項１４】
前記基板の裏面に断熱材を宛がう、請求項６乃至１３のいずれかに記載の吸音パネルの製造方法。
【発明の詳細な説明】
【技術分野】
【０００１】
本発明は吸音パネルに関するものであり、より詳細には、コンサートホール、公共施設、学校、病院、図書館、会社の会議室、あるいは、一般住宅の内装用パネルとして、更には、トイレブースやパーティッション用材等として用いられる、見栄えがよくて吸音性能や耐火性能等に優れた吸音パネルに関するものである。
【背景技術】
【０００２】
建物の建築用材は、耐久性を有すると共に不燃性であることが要求されることは言うまでもないが、特にコンサートホール、公共施設、学校、病院、図書館、会社の会議室等に用いられる内装用パネルは、更に、吸音性能を有していることが望まれる。
【０００３】
従来、吸音材としては一般に、表面に多数の吸音孔を穿設した多孔性ボードが用いられている。しかるに、内壁用パネルとして多く用いられている石膏ボードやけい酸カルシウムボード等の無機質系ボード、あるいは、無垢材や化粧合板等の木質系ボード等のボードに、その表面化粧層を通して多数の吸音孔を穿設する場合、これらのボードに形成し得る孔径には限度があるため、目立たないレベルに小径化することは困難である。      
【０００４】
そのため、折角印刷等により表面化粧層を見栄え良く仕上げても、各孔を通して石膏ボードやけい酸カルシウムボード等の明色部分が露見して目に付いてしまうため、全体的に見た目が悪いものとなってしまうおそれがある。  
【先行技術文献】
【特許文献】
【０００５】
【特許文献１】特開２００６−１６１２２１号公報
【特許文献２】特開２００３−２３２０１５号公報
【特許文献３】特許第２９２３９２３号公報
【発明の概要】
【発明が解決しようとする課題】
【０００６】
上述したように、内壁用パネルとして多く用いられている無機質系ボードや木質系ボード等を、吸音性を持たせるために表面化粧層から多孔化しようとすると、これらのボードに形成し得る孔径に限度があって、目立たないレベルに小径化することは困難であるため、各孔を通して内側の石膏ボードやけい酸カルシウムボード等の孔内部分が露見して見た目が悪くなるという問題があった。
【０００７】
本発明は、かかる問題を解決するためになされたもので、吸音性を持たせるための孔を目立たないレベルのものにすることができ、以て見栄えがよく、しかも吸音性能、耐火性能等に優れ、コンサートホール、公共施設、学校、病院、図書館、会社の会議室、あるいは、一般住宅の内装用パネルとして、更には、トイレブースやパーティッション用材として好適な吸音パネルを提供することを課題とする。
【課題を解決するための手段】
【０００８】
上記課題を解決するための請求項１に記載の発明は、表面側から裏面側への通気性を有する基板上に、前記基板の通気部に連通するようにピンホールを形成した樹脂製化粧フィルムを前記基板の表面側に定着して成り、前記基板の表面側には前記ピンホールに連通する前記ピンホールに近い孔径の細径孔が穿設され、前記樹脂製化粧フィルムは、木目模様その他任意の模様や色柄等の印刷表現が可能であると共に、前記基板との組み合わせにおいて不燃性、準不燃性又は難燃性を具備することを特徴とする吸音パネルである。
【０００９】
一実施形態においては、前記ピンホールは孔径が１ｍｍ前後のものとされ、前記基板には裏面側から、前記細径孔の１又は複数に連通する大径孔が穿設される。また、前記基板と前記樹脂製化粧フィルムとの間に介装される中間材を更に含み、前記中間材は介装時において前記細径孔及び前記樹脂製化粧フィルムのピンホールに連通する透孔を有するものとされ、前記中間材は金属製薄板であり、前記金属製薄板の透孔は前記樹脂製化粧フィルムのピンホールと同径又はそれより大径のピンホールとされる。
【００１０】
上記課題を解決するための請求項６に記載の発明は、表面側から裏面側への通気部を有する基板と、前記基板の表面側の通気部に連通するピンホールを有する金属製薄板と、前記金属製薄板の前記ピンホールに連通するピンホールを有する樹脂製化粧フィルムとをこの順に積層することより成る吸音パネルの製造方法であって、前記樹脂製化粧フィルムは、木目模様その他任意の模様や色柄等の印刷表現が可能であると共に、前記基板及び前記金属製薄板との組み合わせにおいて不燃性、準不燃性又は難燃性を具備するものであり、前記金属製薄板のピンホールと前記樹脂製化粧フィルムのピンホールを、前記金属製薄板上に前記樹脂製化粧フィルムを張設した状態で同時に穿孔形成することを特徴とする吸音パネルの製造方法である。
【００１１】
一実施形態においては、前記金属製薄板のピンホールと前記樹脂製化粧フィルムのピンホールの孔径を１ｍｍ前後とする。また、前記基板に前記通気部として多数の大径孔を、前記ピンホールに連通する側の開口が反対側の開口よりも狭くなるように形成し、前記基板の大径孔の全部又は一部に吸音材を充填する。前記吸音材としては、１枚のシート上に前記大径孔の間隔に対応する間隔置きに立設した吸音材シートを用いることが好ましい。
【００１２】
また、前記基板の前記大径孔の開口面に、不織布、紗布その他の、好ましくは不燃性ないし難燃性の通気性シートが張設されることがあり、また、前記基板の裏面に断熱材が宛がわれることがある。
【００１３】
更に、一実施形態においては、前記基板として、消臭機能、調湿機能、ホルムアルデヒド吸収機能、マイナスイオン発生機能のうちの１又は複数の機能を具有するものが用いられ、また、前記樹脂製化粧フィルムとして、吸臭、ＣＯ２  吸着、抗菌、防汚その他の機能を有する機能性シートが用いられる。
【発明の効果】
【００１４】
本発明は上述したように、少なくとも、通気性を有する基板と、前記ピンホールに連通するピンホールが多数形成されていて前記金属製薄板上に被装される樹脂製化粧フィルムとから構成され、前記樹脂製化粧フィルムは、木目模様その他任意の模様や色柄等の印刷表現が可能であると共に、前記基板との組み合わせにおいて不燃性、準不燃性又は難燃性を具有することを特徴とするものであって、通例、吸音性を具有させるための前記ピンホールは孔径が１ｍｍ前後、好ましくは１ｍｍ以下であって目立たないため、見栄えのよい表面状態が確保され、しかも吸音性能や耐火性能等に優れた吸音パネルとなり得るので、特にコンサートホール、公共施設、学校、病院、図書館、会社の会議室その他、消音が必要な室内の内装用パネルとして、あるいは、トイレブースやパーティッション用材として用いるのに好適なる効果がある。
【図面の簡単な説明】
【００１５】
【図１】本発明に係る吸音パネルの一実施形態の部分破断斜視図である。
【図２】本発明に係る吸音パネルの他の実施形態の部分破断斜視図である。
【図３】図２に示す実施形態の分解斜視図である。
【図４】本発明に係る吸音パネルの更に他の実施形態の分解斜視図である。
【図５】本発明に係る吸音パネルの更に他の実施形態の部分破断斜視図である。
【図６】本発明に係る吸音パネルの更に他の実施形態の部分破断斜視図である。
【図７】本発明に係る吸音パネルにおける基板に穿設される大径孔のそれぞれ異なる形態を示す縦断面図である。
【発明を実施するための形態】
【００１６】
以下に、本発明を実施するための形態について、添付図面に依拠して説明する。本発明に係る吸音パネルは、通気性を有する基板１上に、基板１の通気部に連通するようにピンホール５を形成した樹脂製化粧フィルム４を定着して成るもので、樹脂製化粧フィルム４は、木目模様その他任意の模様や色柄表現、その他種々多様の印刷表現が可能であると共に、基板１（並びに後述する中間材）との組み合わせにおいて、不燃性、準不燃性又は難燃性を具有することを特徴とするものである。
【００１７】
樹脂製化粧フィルム４は表層となるため、難燃性であると共に、ある程度の美観を有することが要求される。そのため樹脂製化粧フィルム４は、木目模様その他種々多様の任意の模様や色柄表現等の印刷が可能なものであることが要求される。この樹脂製化粧フィルム４としては、例えば、グラビア印刷可能な塩化ビニールシートであって、必要に応じてその上に、表面保護及び耐久性向上のためにフッ素フィルム等のフィルムをラミネートしたものを用いることができる。樹脂製化粧フィルム４は、目立たないサイズ（後述するように、孔径が１ｍｍ前後、好ましくは１ｍｍ以下）のピンホール５を多数定間隔置きに又はランダムに、しかもきれいに透設可能であることが要求される。
【００１８】
樹脂製化粧フィルム４に形成されるピンホール５は、孔径が１ｍｍ前後、好ましくは１ｍｍ以下のレベルのものである。孔径がこのレベルであると、壁面や天井面に張設された場合、通気は可能であるが、少し離れると、ほとんど視認することができないものとなる。従って、施工後表出して目に触れることになる、模様や色柄等の印刷が施された樹脂製化粧フィルム４の見た目が損なわれることはない。
【００１９】
基板１は不燃性、準不燃性又は難燃性の通気性を具備する下地材であって、例えば、ＭＤＦ（中密度繊維板）、パーティクルボード、石膏板、けい酸カルシウム板等で構成され、通例１〜２ｃｍ程度の厚さにされる。図示した基板１は、定間隔置きに大径孔２を穿設したものであり（大径孔２はランダムに形成されることもある。）、樹脂製化粧フィルム４のピンホール５は、大径孔２の配置に対応する配置にて透設される。そして、樹脂製化粧フィルム４は、そのピンホール５の１又は複数が大径孔２に連通するようにして、基板１上に定着される。なお、ピンホール５は、大径孔２対応位置にのみ設けることがあり、また、大径孔２対応位置に集中的に設けることもある。
【００２０】
基板１に穿設される大径孔２は、普通、ストレートな円孔とされるが、ピンホール５に連通する側の開口が、反対側の開口より狭くなるように形成されることもある。その場合の大径孔２の形状としては種々の態様のものが考えられ、例えば、一方の側から太径の孔を深く穿設し、その内底部から他方の側に抜けるように細径孔３を設ける態様が考えられる（図１、図７（Ａ）参照）。この場合、大径孔２は円錐状又は角錐状に形成することもあり（図７（Ｂ）参照）、また、大径孔２を円錐状又は角錐状に形成し、そのまま開口させることもある。更に、大径孔２は、中膨らみに形成することもある（図７（Ｃ）参照）。
【００２１】
細径孔３は、各大径孔２に対して１つ設けることを基本とするが、１つの大径孔２に対して複数の細径孔３を設けることとしてもよい（図１参照）。また、現在の一般的技術で以て、基板１の表面にピンホール５に準ずる孔径（１ｍｍ前後）の細径孔３を、機械的に定間隔置きに又はランダムに、しかもきれいに形成することは困難であるため、細径孔３はピンホール５よりも若干大径のものとなる。樹脂製化粧フィルム４は、細径孔３を設けた基板１上に、そのピンホール５を細径孔３に合わせて接着する。その前提として、ピンホール５と細径孔３の穿設ピッチを対応させる必要があることは言うまでもない。かくして本発明に係る吸音パネルが構成され、その状態において、各細径孔３に対応する各ピンホール５が、細径孔３を介して大径孔２に連通することになる。
【００２２】
図２、３に示される実施形態における吸音パネルは、上記基板１と樹脂製化粧フィルム４の他に、基板１と樹脂製化粧フィルム４との間に介装される中間材を含んで構成されるものである。中間材としては、例えば、けい酸カルシウムボード等の無機質系又は木質系の不燃ボード６が用いられ、不燃ボード６には、基板１と樹脂製化粧フィルム４との間に介装した際に、大径孔２及びピンホール５に連通することになる透孔７が対応数穿設される。透孔７は、不燃ボード６を基材１上に重合した際に大径孔２に対応する位置に、大径孔２と同径又はより小径となるように、また、ピンホール５と同径又はより大径となるように穿設される。なお、この場合の大径孔２は、通例、ストレートな円孔とされる。
【００２３】
図５、６に示される吸音パネルは、中間材として金属製薄板１２を用いるもので、金属製薄板１２には多数のピンホール１３が、樹脂製化粧フィルム４のピンホール５に連通するように樹脂製化粧フィルム４のピンホール５に対応するピッチにて形成される。金属製薄板１２は、通例、厚さが１ｍｍ前後のアルミニウム製薄板で、そのピンホール１３は、樹脂製化粧フィルム４のピンホール５と同径又はそれより少し大径に形成される。樹脂製化粧フィルム４のピンホール５と同径に形成するには、金属製薄板１２上に樹脂製化粧フィルム４を張設した状態で、樹脂製化粧フィルム４から金属製薄板１２にかけて一度に穿孔することとすればよい。
【００２４】
一実施形態においては、基板１に、消臭機能、調湿機能、ホルムアルデヒド吸収機能、マイナスイオン発生機能その他の副次的機能のうちの１又は複数の機能を具有させるような処理をする。また、樹脂製化粧フィルム４として、吸臭、ＣＯ２  吸着、抗菌、防汚等の機能を有する機能性シートを用いることも推奨される。
【００２５】
また、一実施形態においては、大径孔２が開口する基材１の裏面に、不織布、織布、紗布等の、好ましくは不燃性ないし難燃性の通気性シート８が張着されて、大径孔２の開口が閉塞される（図２、３、５、６参照）。
【００２６】
更に、一実施形態においては、基板１の各大径孔２に、発泡樹脂、グラスウール等の吸音材９が充填される。その場合、それぞれが独立したピースである吸音材９を１つずつ大径孔２に埋め込んでいってもよいが、その場合は作業に時間と手間がかかる。そこで、１枚のベース１０上に大径孔２の間隔に対応する間隔置きに吸音材９を立設した吸音材シート１１を設け、これを基板１の裏面に押し付けることにより各吸音材９をそれぞれ大径孔２に充填する方法が推奨される（図４参照）。
【００２７】
このような吸音材シート１１を用いる方法によれば、各大径孔２への吸音材９の充填作業を簡易化でき、作業の迅速化を図ることができる。この吸音材シート１１は、例えば、発泡樹脂板を多孔金型を用いてヒートプレスする等によって、簡単に製造することができる。この実施形態においても、必要に応じ、通気性シート８が張着される（特に吸音材９が独立ピースの場合に必要となる）。
【００２８】
更に、以上の基板１、不燃ボード６（金属製薄板１２）及び樹脂製化粧フィルム４の３層構造物を、グラスウール等の断熱材１４の上に配することにより、４層構造物（通気性シート８を含めると５層）とすることもある（図５、６参照）。
【００２９】
以上のようにして形成された本発明に係る吸音パネルは、一般の内壁用パネルと同様にして用いられるが、本吸音パネルの場合の表層は、目立つことのないピンホール５を多数配設した樹脂製化粧フィルム４であるため、ピンホール５によってその見た目が損なわれることがない。
【００３０】
しかもこの樹脂製化粧フィルム４は、任意の模様や色柄等を表現することが可能であるため、予め種々のものを用意しておき、用途に合わせて選択することができるだけでなく、その都度所望の模様や色柄に印刷して用いることも可能であるため、多品種小ロット施工に適するものとなる。
【００３１】
本吸音パネルにおいては、樹脂製化粧フィルム４の下に中間材、殊に、金属製薄板１２が配置されるため、十分な表面強度が得られ、全体的に不燃性、準不燃性又は難燃性資材で構成されているために、十分な耐火性能を有し、更に、室内の騒音、雑音をピンホール５、３を通して吸収し、大径孔２内に放出することにより消音させることができるので、十分な吸音・消音効果を発揮する。この消音効果は、各大径孔２内に吸音材９が充填されることにより、一層助長される。
【００３２】
更に一実施形態においては、基板１として、天井材等として用いられているロックウール吸音板や多孔性石膏ボード等の吸音ボードがそのまま用いられ、その上に不燃ボード６又は金属製薄板１２と樹脂製化粧フィルム４とが張着される。この実施形態においては、すべてのピンホール５のそれぞれが、基板１の通気部に対応するとは限らないが、ピンホール５を密に形成した樹脂製化粧フィルム４（図６参照）を用いれば、各ピンホール５のそれぞれが、基板１の通気部に対応している場合とさほど相違ない作用効果が得られる。
【００３３】
本発明に係る吸音ボードは上記のとおりであって、表層となる樹脂製化粧フィルム４に形成されるピンホール５は、孔径が１ｍｍ前後、好ましくは１ｍｍ以下であって目立たないため、見栄えのよい表面状態が確保され、しかも吸音性能や耐火性能等に優れた吸音パネルとなり得るので、特にコンサートホール、公共施設、学校、病院、図書館、会社の会議室その他、消音が必要な室内の内装用パネルとして、あるいは、トイレブースやパーティッション用材として用いるのに好適なものとなる。
【００３４】
なお、本発明に係る吸音ボードは、施工壁面の全体に配置される場合と、中間部のみ、あるいは、中間部と上部といった具合に、部分的に配置される場合とがある。
【００３５】
この発明をある程度詳細にその最も好ましい実施形態について説明してきたが、この発明の精神と範囲に反することなしに更に異なる実施形態を構成することができることは明白なので、この発明は添付請求の範囲において限定した以外はその特定の実施形態に制約されるものではない。
【符号の説明】
【００３６】
１      基材
２      大径孔
３      細径孔
４      樹脂製化粧フィルム
５      ピンホール
６      不燃ボード
７      透孔
８      通気性シート
９      吸音材
１０      ベース      
１１      吸音材シート
１２      金属製薄板
１３      ピンホール
１４      断熱材
【図１】
0005713827.tif 000002
【図２】
0005713827.tif 000003
【図３】
0005713827.tif 000004
【図４】
0005713827.tif 000005
【図５】
0005713827.tif 000006
【図６】
0005713827.tif 000007
【図７】
0005713827.tif 000008